(57)【要約】【課題】  大型の引戸を閉鎖時における引戸と戸枠との間の反発を無くして自動的に全閉することができ、しかも引き戸を開けるとき小さい力で軽く開けることができるようにする。【解決手段】  引戸閉鎖時、下方に付勢されたパワーローラー７をカムレバー１６の後方の傾斜縁に押圧してロジックユニット４に閉鎖方向である前方に付勢し、以て閉鎖時における引戸と戸枠との間の反発を無くして自動的に全閉し、引き戸を開けるときには、パワーローラー７を第１固定カムプレートの緩やかな傾斜縁２６によって小さい力で押し上げ、軽く引戸を開ける。【選択図】  図３
2012082666.tif 000002
【特許請求の範囲】
【請求項１】
戸枠に前後方向に移動可能に案内され、閉鎖時前方に移動する引戸用の閉鎖装置において、戸枠の前方における上枠に固定されるパワーユニットと、引戸の上辺部前框付近において、引戸に関しパワーユニットと同じ側に装着されるロジックユニットとを備え、上記パワーユニットには、引戸面と平行な平面内で回動可能に軸支されたレバー体で、自由端に引戸面に垂直な第１支軸によって回動可能に軸支されたパワーローラーを装着すると共に、このパワーローラーが下方のロジックユニット側に振り出されるように付勢されたパワーレバーと、このパワーレバーに埴設された第１係止ピンと、この第１係止ピンの上方において、中央部を引戸面と平行な平面内で回動可能に支承された二股のレバー体で、一端に上記第１係止ピンと係合可能な鉤部、及びこの鉤部の外側に傾斜端縁を夫々形成し、他端に、上下方向に移動可能に案内された第１制御レバーの上端をリンク結合した第１ロックレバーと、この第１制御レバーの下端に回動可能に装着されたロック制御ローラーとを備え、一方、上記ロジックユニットには、その上部において前後方向に延在する、全体の形状が略へ字形の板状のレバー体であって、見込み方向において上記パワーローラーと係合する位置にあり、常態においてはその長辺部をほぼ水平にした角度位置で、前端部を板厚方向に貫通する第２支軸によって、引戸面と平行な平面内で回動可能に軸支されると共に、前端部上端縁に浅い切欠よりなる第１制御カムを形成したカムレバーと、このカムレバーの後端部下方においてほぼ上下方向に延在し、下端を引戸面に垂直な第３支軸によって揺動可能に支承されると共に、上端に形成された鉤部を、カムレバーの後端部に埴設された第２係止ピンに後方から係合可能に臨ませる第２ロックレバーと、上記カムレバーと重合する態様で水平方向に延在し、後端を上記第２ロックレバーの上端部にリンク結合させると共に、前端を前記戸当たり框に突き当て可能にロジックユニット外に突出させ、また、前方に付勢されたトリガー体と、上記カムレバーと重合する態様で、かつ、見込み方向において上記パワーローラーと係合する位置にある板状体で、その上端縁がなだらかで長い後方の傾斜縁と水平な前方部分とを連接したものである第１固定カムプレートと、上記カムレバー及び第１固定カムプレートに関してロジックユニットの基板と反対側に、かつ、これらと平行な関係位置で、更に、見込み方向において上記ロック制御ローラーと係合する位置に配設された板状体で、その水平な上端縁に段部を形成し、この段部と上記ロック制御ローラーと係合させることにより、上記第１制御レバーを上下方向に駆動する第２固定カムプレートとを備え、閉鎖時、上記第２固定カムプレートの前方の段部によりロック制御ローラーを押し上げ、第１ロックレバーを介してパワーローラーを解放し、これをカムレバーの短辺の上端縁である傾斜端縁に押圧することによって生じる前方への分力により引戸を閉鎖方向に付勢し、また、戸当たり框からの反発を吸収し、一方、引戸が完全に閉鎖されたときトリガー体によってカムレバーを自由にし、他方、引き戸を開けるときのロジックユニットの後方への移動に伴い、回動自由になったカムレバーを踏み付けながらパワーローラーが固定カムプレートのなだらかで長い後方の傾斜縁に沿って緩やかに持ち上げ、ロック制御ローラーが第２固定カムプレート上端縁の後方の段部に落ち込んだとき、自由になった第１ロックレバーの一端の傾斜端縁と、パワーレバーの第１係止ピンとの間に生じる楔作用により、第１ロックレバーを回動させてその鉤部を第１係止ピンと係合させ、以てパワーレバーをパワーユニット
内に固定するようにしたことを特徴とする大型引戸の閉鎖機構。
【請求項２】
上記戸枠上枠のパワーユニットより後方にストッパーユニットを装着すると共に、ロジックユニットより後方における引戸の部分にダンパーユニットを装着し、引戸閉鎖時にこれらストッパーユニットおよびダンパーユニットを係合させて引戸を緩衝するようにしたことを特徴とする請求項１に記載の大型引戸の閉鎖機構。
【発明の詳細な説明】
【技術分野】
【０００１】
この発明は、大型引戸用の新規な閉鎖機構（以下単に閉鎖機構という）に係り、特に、閉鎖時における引戸と戸枠との間の反発を無くして自動的に全閉することができ、しかも引き戸を開けるとき小さい力で軽く開けることができるようにした閉鎖機構に関する。
【背景技術】
【０００２】
例えば大寺院の大広間の引戸などの大型引戸は、これを乱暴に開け閉めすると戸枠と衝突して大音響や振動が生じるので、ソロソロと開け閉めするのが普通であり、従来引き戸用の閉鎖機構なる概念は無かった、と言っても過言ではない。
【０００３】
また、通常の引戸でも、例えばアルミ製の引戸で、戸車などによって円滑に案内されているものは手で操作して軽く動くので、閉扉時勢いが付きすぎて戸枠と衝突することさえ気を付ければ良く、この場合も引戸の閉鎖機構は必要ではなかった。
【発明の概要】
【発明が解決しようとする課題】
【０００４】
しかしながら、近年住宅用の玄関の引戸でも高級感を出すために厚く重くなる傾向があり、剛性、強度を向上させるため引戸が大型化し、重量が増大することが容易に予想できる。
【０００５】
この場合には、弱い力で閉扉すると引戸と戸枠との間に隙間が生じる可能性があり、勢い良く閉扉すると引戸と戸枠との間に反発が生じ、引戸が反発によって開いてしまったりする不都合が生じる。
【０００６】
そこで、この発明は、重量のある大型引戸の閉鎖時において、引戸と戸枠との間の反発を無くして自動的に全閉することができ、しかも引き戸を開けるとき小さい力で軽く開けることができるようにした閉鎖機構を提供することを目的としている。
【課題を解決するための手段】
【０００７】
上記の目的を達成するため、請求項１に記載の発明は、戸枠に前後方向に移動可能に案内され、閉鎖時前方に移動する引戸用の閉鎖装置において、戸枠の前方における上枠に固定されるパワーユニットと、引戸の上辺部前框付近において、引戸に関しパワーユニットと同じ側に装着されるロジックユニットとを備え、上記パワーユニットには、引戸面と平行な平面内で回動可能に軸支されたレバー体で、自由端に引戸面に垂直な第１支軸によって回動可能に軸支されたパワーローラーを装着すると共に、このパワーローラーが下方のロジックユニット側に振り出されるように付勢されたパワーレバーと、このパワーレバーに埴設された第１係止ピンと、この第１係止ピンの上方において、中央部を引戸面と平行な平面内で回動可能に支承された二股のレバー体で、一端に上記第１係止ピンと係合可能な鉤部、及びこの鉤部の外側に傾斜端縁を夫々形成し、他端に、上下方向に移動可能に案内された第１制御レバーの上端をリンク結合した第１ロックレバーと、この第１制御レバーの下端に回動可能に装着されたロック制御ローラーとを備え、一方、上記ロジックユニットには、その上部において前後方向に延在する、全体の形状が略へ字形の板状のレバー体であって、見込み方向において上記パワーローラーと係合する位置にあり、常態においてはその長辺部をほぼ水平にした角度位置で、前端部を板厚方向に貫通する第２支軸によって、引戸面と平行な平面内で回動可能に軸支されると共に、前端部上端縁に浅い切欠よりなる第１制御カムを形成したカムレバーと、このカムレバーの後端部下方においてほぼ上下方向に延在し、下端を引戸面に垂直な第３支軸によって揺動可能に支承されると共に、上端に形成された鉤部を、カムレバーの後端部に埴設された第２係止ピンに後方から係合可能に臨ませる第２ロックレバーと、上記カムレバーと重合する態様で水平方向に延在し、後端を上記第２ロックレバーの上端部にリンク結合させると共に、前端を前記戸当たり框に突き当て可能にロジックユニット外に突出させ、また、前方に付勢されたトリガー体と、上記カムレバーと重合する態様で、かつ、見込み方向において上記パワーローラーと係合する位置にある板状体で、その上端縁がなだらかで長い後方の傾斜縁と水平な前方部分とを連接したものである第１固定カムプレートと、上記カムレバー及び第１固定カムプレートに関してロジックユニットの基板と反対側に、かつ、これらと平行な関係位置で、更に、見込み方向において上記ロック制御ローラーと係合する位置に配設された板状体で、その水平な上端縁に段部を形成し、この段部と上記ロック制御ローラーと係合させることにより、上記第１制御レバーを上下方向に駆動する第２固定カムプレートとを備え、閉鎖時、上記第２固定カムプレートの前方の段部によりロック制御ローラーを押し上げ、第１ロックレバーを介してパワーローラーを解放し、これをカムレバーの短辺の上端縁である傾斜端縁に押圧することによって生じる前方への分力により引戸を閉鎖方向に付勢し、また、戸当たり框からの反発を吸収し、一方、引戸が完全に閉鎖されたときトリガー体によってカムレバーを自由にし、他方、引き戸を開けるときのロジックユニットの後方への移動に伴い、回動自由になったカムレバーを踏み付けながらパワーローラーが固定カムプレートのなだらかで長い後方の傾斜縁に沿って緩やかに持ち上げ、ロック制御ローラーが第２固定カムプレート上端縁の後方の段部に落ち込んだとき、自由になった第１ロックレバーの一端の傾斜端縁と、パワーレバーの第１係止ピンとの間に生じる楔作用により、第１ロックレバーを回動させてその鉤部を第１係止ピンと係合させ、以てパワーレバーをパワーユニット内に固定するようにしたことを特徴とする。
【０００８】
また、請求項２に記載の発明は、上記戸枠上枠のパワーユニットより後方にストッパーユニットを装着し、ロジックユニットより後方における引戸の部分にダンパーユニットを装着し、引戸閉鎖時にこれらストッパーユニットおよびダンパーユニットを係合させて引戸を緩衝するようにしたことを特徴とする。
【発明の効果】
【０００９】
上記のように構成された請求項１及び請求項２に記載の発明は、引戸閉鎖寸前にパワーユニット内のパワーローラーがロジックユニット側に振り出され、その自由端に装着されたパワーローラーがカムレバーの傾斜端縁を押圧することによって生じる前方への分力により引戸を閉鎖方向に付勢し、また、戸当たり框からの反発を吸収するので、引戸を自動的に、かつ、円滑に全閉することができる。
【００１０】
また、引き戸を開けるときには、パワーローラーは固定カムプレートのなだらかで長い後方の傾斜縁に沿って緩やかに持ち上げられるので、小さい力で大型の引戸を軽く開けることができる、等種々の効果を奏する。
【図面の簡単な説明】
【００１１】
【図１】この発明の一実施例による閉鎖機構を室内側からから見た正面図で、パワーユニットおよびロジックユニットの天井板を透明にし、かつ、開扉状態を示す。
【図２】図１と同様の正面図で、パワーレバーのロックを解除した状態を示す。
【図３】図１と同様の正面図で、パワーレバーにより閉扉力が発生した状態を示す。
【図４】図１と同様の正面図で、閉扉状態を示す。
【図５】図１と同様の正面図で、開扉直後の状態を示す。
【図６】図１と同様の正面図で、パワーレバーのロックが完了した状態を示す。
【図７】図１と同様の正面図で、カムレバーの復帰中の状態を示す。
【図８】請求項２に記載の閉鎖機構の構成を示す外観斜視図。
【発明を実施するための形態】
【００１２】
戸枠と、この戸枠に前後方向に移動可能に案内され、閉鎖時前方に移動する引戸とを有する引戸装置において、戸枠の前方における上枠に固定されたパワーユニットと、引戸の上辺部前框付近において、引戸に関しパワーユニットと同じ側に装着されたロジックユニットとを備え、上記パワーユニットには、引戸面と平行な平面内で回動可能に軸支されたレバー体で、自由端に引戸面に垂直な第１支軸によって回動可能に軸支されたパワーローラーを装着すると共に、このパワーローラーが下方のロジックユニット側に振り出されるように付勢されたパワーレバーを設け、このパワーレバーをロック、アンロックする第１ロックレバーをパワーユニットとロジックユニットの相対位置関係によって制御し、引戸閉鎖直前にパワーレバーをロジックユニット方向に振り出すようにし、一方、ロジックユニットには、その上部において前後方向に延在する、全体の形状が略へ字形の板状のレバー体であって、見込み方向において上記パワーローラーと係合する位置にあり、常態においてはその長辺部をほぼ水平にした角度位置で、前端部を板厚方向に貫通する第２支軸によって、引戸面と平行な平面内で回動可能に軸支されると共に、前端部上端縁に浅い切欠よりなる第１制御カムを形成したカムレバーと、上記カムレバーと重合する態様で、かつ、見込み方向において上記パワーローラーと係合する位置にある板状体で、その上端縁がなだらかで長い方の傾斜縁と水平な前方部分とを連接したものである第１固定カムプレートとを設け、引戸の閉鎖時には上記パワーレバーのパワーローラーをカムレバーの傾斜端縁に弾圧させて引戸を閉鎖方向に付勢し、以て戸当たり框と引戸の反発を吸収し、引戸の開放時には、パワーローラーを第１固定カムプレートのなだらかな傾斜縁によって復帰させることにより、引戸を軽く開けるようにした。
【実施例１】
【００１３】
図１において符号１は引戸の戸枠を、符号２はこの戸枠に前後方向（図１で左右方向）に移動可能に案内された引戸を夫々示す。なお、この引戸は閉鎖時前方（図１で右方）に移動するものとする。
【００１４】
上記戸枠１の前方における上枠５にはパワーユニット３が、引戸２の上辺部前框付近には、引戸に関してパワーユニットと同じ側（通常室内側）にロジックユニット４が夫々装着されている。
【００１５】
上記パワーユニットには、引戸面と平行な平面内で回動可能に軸支されたレバー体で、自由端に引戸面に垂直な第１支軸６によって回動可能に軸支されたパワーローラー７を装着すると共に、このパワーローラー７が下方のロジックユニット側に振り出されるように付勢されたパワーレバー８が設けられている。
【００１６】
そして、このパワーレバー８の自由端部で、図１においてはパワーレバーの裏面側には第１係止ピン９が埴設されている。
【００１７】
この第１係止ピン９の上方には、中央部を引戸面と平行な平面内で回動可能に支承された二股のレバー体である第１ロックレバー１１が設けられている。
【００１８】
この第１ロックレバー１１の一端（図１及び図４で下端）には、上記第１係止ピン９と係合可能な鉤部１２、及びこの鉤部１２の外側に傾斜端縁１３（何れも図４参照）を夫々形成されており、他端には、上下方向に移動可能に案内された第１制御レバー１４の上端がリンク結合されている。
【００１９】
この第１制御レバー１４の下端には、引戸面に垂直な付番しない支軸により、ロック制御ローラー１５が回動可能に装着されている。
【００２０】
一方、上記ロジックユニット４には、図１に示すように、その上部において前後方向に延在する、全体の形状が略へ字形の板状のレバー体であるカムレバー１６が配設されている。
【００２１】
このカムレバー１６は、常態においてはその長辺部をほぼ水平にした角度位置で、前端部を板厚方向に貫通する第２支軸１７によって、引戸面と平行な平面内で回動可能に軸支されている。
【００２２】
また、このカムレバー１６は、見込み方向において上記パワーローラー７と係合する位置に配設されており、更にまた、その前端部上端縁には浅い切欠よりなる第１制御カムが形成されている。
【００２３】
上記カムレバー１６の後端部下方には、ほぼ上下方向に延在し、下端を引戸面に垂直な第３支軸１９によって揺動可能に支承された第２ロックレバー２１が設けられている。
【００２４】
この第２ロックレバー２１は、上端に形成され、図面を明瞭にするため付番を省略した鉤部を、カムレバーの後端部に埴設された第２係止ピン２２に後方から係合可能に臨ませている。
【００２５】
他方、上記カムレバーと重合する態様でトリガー体２３が配設されている。
このトリガー体２３は、図１に示すように、前後方向に延在する幅の狭い板状体で、後端を上記第２ロックレバー２１の上端部にリンク結合させると共に、前端を戸当たり框に突き当て可能にロジックユニット外に突出させ、また、前方に付勢されている。
【００２６】
更にまた、図１において前記カムレバー１６の下側には、カムレバーと重合する態様で第１固定カムプレート２４が設けられている。
【００２７】
図示の実施例における第１固定カムプレート２４は、ロジックユニット４の基板２５にねじ止めされる態様でロジックユニット４に固定されている。
【００２８】
また、この第１固定カムプレート２４は、見込み方向において前記パワーローラー７と係合する位置にある板状体で、その上端縁がなだらかで長い後方の傾斜縁２６と水平な前方部分とを連接したものである。
【００２９】
更にまた、上記第１固定カムプレート２４及びカムレバー１６の図１における手前側には、基板２５と平行で、かつ支柱を介してロジックユニットの外ケースを構成する第２固定カムプレート２８が配設されている。
【００３０】
この第２固定カムプレート２８は見込み方向において上記ロック制御ローラー１５と係合する位置に配設された板状体で、その水平な上端縁の所定の２ヶ所に段部２９、２９を形成し、これらの段部と上記ロック制御ローラー１５と係合させることにより、上記第１制御レバー１４を上下方向に駆動する。
【００３１】
なお、図示の実施例では、図１に示すように、カムレバーの後端に埴設した係合ピン３１は第１固定カムプレート２４に形成された円弧溝３２に係合されているが、これは例えばカムレバーの板厚方向の振れを小さくするためのもので、本願発明の必須の構成ではない。
【００３２】
上記のように構成された本願発明の一実施例による閉鎖機構は、パワーユニット３とロジックユニット４とが前後方向に離れているときには、図１に示すように、第１ロックレバー１１は時計方向に付勢されており、その一端の鉤部がパワーレバー８の第１係止ピン９と係合している。
【００３３】
そのため、パワーローラー７はパワーユニット３内に収納された状態なので、ロジックユニット４とパワーユニット３とは相互に干渉せず、引戸２は図１で前方に軽く移動する。
また、第２ロックレバーの上端がカムレバーの第２係止ピンを下方から支えているので、カムレバー１６は図１に示す関係位置を安定に保つ。
【００３４】
図２に示すようにロジックユニット４が前方に移動すると、上記第２固定カムプレート２８の前方の段部２９がロック制御ローラー１５を押し上げる結果、第１ロックレバー１１が時計方向に回動し、第１係止ピン９を解放する。
【００３５】
その結果、パワーローラー７がカムレバー１６の水平部分を押圧することになるが、図２に示すように、このパワーローラー７の押圧力は第２係止ピン２２を介して第２ロックレバー２１に担持される。
【００３６】
ロジックユニット４がさらに閉鎖方向の前方に移動すると、図３に示すように、パワーローラー７がカムレバー１６の後方の傾斜端縁に乗り上がる。
【００３７】
その結果、パワーローラー７の押圧力の前方への分力が生じ、この分力が引戸を閉鎖方向に付勢して引き戸を自動的に全閉すると共に、引戸閉鎖後の引戸と戸当たり框の反発を吸収する。
【００３８】
引戸が閉鎖されると、図４に示すように、パワーローラー７がカムレバー１６の後端に乗り上がると共に、トリガー体２３の前端が戸当たり框３３に突き当たり、反力によって後方に移動するので、第２ロックレバー２１の上端と第２係止ピン２２との係合が外れ、カムレバー１６は自由になる。
【００３９】
一方、引戸全閉後引戸を開放する方向、すなわち後方に少し移動させると、図５に示すように、パワーローラー７は第１固定カムプレート２４の傾斜縁２６に沿って、カムレバー１６を踏み付けながら上昇する。
【００４０】
換言すれば、パワーレバー８は緩やかな傾斜縁２６との間に生じる楔作用により、時計方向に回動する。
【００４１】
なお、パワーレバー８は緩やかな傾斜縁によって増幅されたモーメントにより回動するので、引き戸を開け始めるときの力は少なくて済む。換言すれば、引戸を軽く開けることができる。
【００４２】
ロジックユニット４が更に後方に移動すると、図６に示すように、第１係止ピン９が第１ロックレバー１１の鉤部と係合してパワーレバー８がロックされる。
【００４３】
引戸を更に開けてロジックユニット４が更に後方に移動すると、図７に示すように、パワーローラー７が前記第１制御カム１８（図１及び図５参照）と係合し、パワーローラー７に踏みつけられながら、カムレバー１６は第２支軸１７の周りを時計方向に回動し、途中第２ロックレバー２１の上端に第２係止ピン２２を係止させ、ついには図１に示す状態に至る。
【００４４】
なお、図７において符号３４はセイフティレバーを示し、このセイフティレバー３４は、図２に示すように引戸が開いているときトリガー体２３を後方に押動して第２ロックレバー２１の上端と第２係止ピン２２との係合を解いたときでも、カムレバー１６を固定して以降の作動を円滑にするためのものであり、本発明の必須の構成ではないから、更に詳細な説明を省略する。
【実施例２】
【００４５】
図８は請求項２に記載されたこの発明の他の実施例を示し、この実施例は、引戸の閉鎖時、所定の位置において引戸を緩衝し、減速させて引戸を静かに閉鎖させるように構成されている。
【００４６】
すなわち、図８において符号３５はダンパーユニットを示し、このダンパーユニット３５はロジックユニット４の後方における引戸に装着されている。
【００４７】
上記ダンパーユニット３５内には例えばオイルダンパーなどのダンパー３６が収納されており、図示の実施例におけるオイルダンパー３６は、そのシャフトをシリンダ内に押し込むことにより緩衝が行われる構造であるものとする。
【００４８】
そして、ダンパーユニット３５の後方には、ダンパーアーム３７がアーム軸３８によって揺動可能に支承されている。
【００４９】
また、オイルダンパー３６のシャフトの先端には、カプラー３９が装着されており、このカプラーを引戸の見込み方向に貫通し、上下方向に長い図示しない係合孔に、ダンパーアーム３７の一端を見込み方向に貫通する係合ピン３１が遊嵌している。
【００５０】
一方、戸枠の上枠５のパワーユニット３より後方の部分には、カム面を有するストッパーユニット４２が固定されている。
【００５１】
上記した構成により、引戸閉鎖時の所定の位置においてストッパーユニット４２がダンパーアームを介してオイルダンパー３６を駆動し、このようにして引戸が緩衝される。
【符号の説明】
【００５２】
１  戸枠
２  引戸
３  パワーユニット
４  ロジックユニット
５  上枠
６  第１支軸
７  パワーローラー
８  パワーレバー
９  第１係止ピン
１１  第１ロックレバー
１２  鉤部
１３  傾斜端縁
１４  第１制御レバー
１５  ロック制御ローラー
１６  カムレバー
１７  第２支軸
１８  第１制御カム
１９  第３支軸
２１  第２ロックレバー
２２  第２係止ピン
２３  トリガー体
２４  第１固定カムプレート
２５  基板
２６  傾斜縁
２７  水平部分
２８  第２固定カムプレート
２９  段部
３１  係合ピン
３２  円弧溝
３３  戸当り框
３４  セイフティレバー
３５  ダンパーユニット
３６  オイルダンパー
３７  ダンパーアーム
３８  アーム軸
３９  カプラー
４２  ストッパーユニット
【図１】
2012082666.tif 000003
【図２】
2012082666.tif 000004
【図３】
2012082666.tif 000005
【図４】
2012082666.tif 000006
【図５】
2012082666.tif 000007
【図６】
2012082666.tif 000008
【図７】
2012082666.tif 000009
【図８】
2012082666.tif 000010